【手続補正書】
【提出日】平成20年2月22日(2008.2.22)
【手続補正１】
【補正対象書類名】明細書
【補正対象項目名】特許請求の範囲
【補正方法】変更
【補正の内容】
【特許請求の範囲】
【請求項１】 患者の隣接する椎骨の間の椎間板空間を処理する医療用器具において、
隣接する椎骨の間に接続された窓部組立体にかみ合い係合し得るようにされたバリ組立体を備え、前記バリ組立体が、
案内ハウジング内に画成された切削スロットを有する案内ハウジングと、
前記案内ハウジングに枢動可能に連結された案内組立体であって、切削部片を整合状態に保ちつつ、前記切削部片を前記切削スロット内にて案内し得るようにされた前記案内組立体とを有する、医療用器具。
【請求項２】 請求項１の器具において、前記案内組立体が、前記切削部片を患者の矢状面に対し斜めの角度にて案内可能な構造及び配置とされる、器具。
【請求項３】 請求項１の器具において、前記バリ組立体が、前記切削部片の切削深さを増分的に調節し得るようにされた増分的調節機構を有する、器具。
【請求項４】 請求項１の器具において、前記案内組立体に取り外し可能に接続された前記切削部片を更に備える、器具。
【請求項５】 請求項４の器具において、前記案内組立体が、１つの椎骨の端板における角度付き面をフライス削りし得るように前記切削部片に角度を持たせる、器具。
【請求項６】 請求項４の器具において、前記切削部片が、軸と、前記軸の一端部分に設けられた切削バイトとを有し、前記軸が、前記切削部片が椎骨内に延びるのを制限する大きい部分を有する、器具。
【請求項７】 請求項１の器具において、前記案内組立体が前記切削部片を受け入れ得るようにされた貫通する通路を有する案内管を備え、前記切削スロットが、前記案内管の一部分が受け入れられるフランジ部分を有し、前記案内管が、連結機構と、前記連結機構から延びる連結機構ポストとを更に有し、前記案内組立体が、前記案内ハウジング及び連結機構ポストに枢動可能に接続された連結機構管を更に有する、器具。
【請求項８】 請求項７の器具において、前記連結機構管を前記案内ポストに取り付けるスナップリングを更に備える、器具。
【請求項９】 請求項１の器具において、前記案内組立体が、前記切削部片が横方向に動く間、前記切削部片の角度付きの整合状態を保つ、器具。
【請求項１０】 請求項１の器具において、前記バリ組立体とかみ合い係合した前記窓部組立体を更に備え、前記窓部組立体が、患者の矢状面に対して斜めアプローチ法にて隣接する椎骨に取り付け得るようにされる、器具。
【請求項１１】 請求項１の器具において、前記案内ハウジングが末端の挿入端部を有し、前記窓部組立体が基端の開口部の周りで延びる壁を有する基端部分を含み、前記末端の挿入端部が前記基端の開口部を通って略緊密な嵌合状態で前記壁内に嵌合する、器具。
【請求項１２】 請求項１の器具において、前記案内ハウジングが長手方向軸に沿って基端方向及び末端方向へ延び、前記切削スロットが前記案内ハウジングを通って基端方向及び末端方向へ前記長手方向軸に対して所定角度が付けられて開口し前記切削部片を配向して前記端板を前記所定角度で切削する、器具。
【請求項１３】 請求項１の器具において、前記案内ハウジングが長手方向軸に沿って基端方向及び末端方向へ延び、前記案内ハウジングが前記切削スロットの周りで延びている基端の案内面を有し、前記案内面が前記長手方向軸に対して所定角度を形成し、前記所定角度が前記切削スロットを通って基端方向及び末端方向へ延びる前記切削部片を前記長手方向軸に対して所定角度が付けて配向する、器具。
【請求項１４】 請求項１３の器具において、前記案内面が前記案内面を通って前記案内ハウジング内へ延びる雌ねじ付き穴を有し、前記案内組立体が前記穴内において前記案内ハウジングに連結されている、器具。
【請求項１５】 請求項１の器具において、前記案内組立体が、
前記案内ハウジングに対して末端で係合し且つ前記案内ハウジングから基端方向へ延びるポストと、
前記ポストの周りで枢動可能に受け入れられる連結機構であって、前記連結機構が前記連結機構に沿って延びる案内管を有し、前記案内管が前記スロット内に末端位置を有し、前記案内管が、前記連結機構を前記ポストの周りで回転させることにより、前記案内組立体を横切って前記切削スロットに沿って移動可能である、連結機構とを有する、器具。
【請求項１６】 患者の隣接する椎骨の間の椎間板空間を処理する医療用器具において、
隣接する椎骨の間に接続された窓部組立体にかみ合い係合し得るようにされたバリ組立体を備え、前記バリ組立体が、
前記窓組立体内に嵌合するよう構成された案内ハウジングであって、前記案内組立体が前記案内組立体内に画成され且つ前記案内ハウジング内で基端方向及び末端方向へ開口する切削スロットを有する、案内ハウジングと、
末端で前記案内ハウジングに係合し且つ前記案内ハウジングから基端方向へ延びるポストを有する案内組立体であって、前記ポストの周りで回転可能に受け入れられる連結機構を有し、前記連結機構が前記連結機構に沿って延びる案内管を有し、前記案内管が前記切削スロット内に末端位置を有し、前記案内管が、前記連結機構を前記ポストの周りで回転させることにより、前記案内組立体を横切って前記切削スロットに沿って移動可能である、連結機構とを有する、医療用器具。
【請求項１７】 請求項１６の器具において、前記案内ハウジングが前記案内ハウジング内で延びる内側穴を有し、前記ポストが前記内側穴内で前記案内ハウジングに係合する、器具。
【請求項１８】 請求項１７の器具において、前記連結機構を前記ポストに取り付けるスナップリングを更に備える、器具。
【請求項１９】 請求項１６の器具において、前記案内ハウジングが末端の挿入端部を有し、前記窓部組立体が基端の開口部の周りで延びる壁を有する基端部分を含み、前記末端の挿入端部が前記基端の開口部を通って略緊密な嵌合状態で前記壁内に嵌合する、器具。
【請求項２０】 請求項１６の器具において、前記案内ハウジングが長手方向軸に沿って基端方向及び末端方向へ延び、前記切削スロットが前記案内ハウジングを通って基端方向及び末端方向へ前記長手方向軸に対して所定角度が付けられて開口して切削部片が前記案内管内で前記切削スロットを通って延びて前記端板を前記所定角度で切削することを許容する、器具。
【請求項２１】 請求項１６の器具において、前記案内ハウジングが長手方向軸に沿って基端方向及び末端方向へ延び、前記案内ハウジングが前記切削スロットの周りで延びている基端の案内面を有し、前記案内面が前記長手方向軸に対して所定角度を形成し、前記所定角度が前記切削スロットを通って基端方向及び末端方向へ延びる切削部片を前記長手方向軸に対して所定角度が付けて配向する、器具。
【請求項２２】 患者の隣接する椎骨の間の椎間板空間を処理する医療用器具において、
隣接する椎骨の間に接続された窓部組立体にかみ合い係合し得るようにされたバリ組立体を備え、前記バリ組立体が、
長手方向軸に沿って基端方向及び末端方向へ延びる案内ハウジングであって、前記案内ハウジングが前記案内ハウジングを横切り且つ基端方向及び末端方向に前記案内ハウジングを通って前記長手方向軸の方向に開口する切削スロットを有し、前記切削スロットが前記基端方向及び前記末端方向において前記長手方向軸に対して所定角度を形成する、案内ハウジングと、
前記案内ハウジングに枢動可能に連結された案内組立体であって、前記案内組立体が前記切削スロット内の切削部片を案内するように構成されて、前記切削部片の配置を前記所定角度に維持しながら前記隣接する椎骨の端板を前記所定角度で切削する、医療用器具。
【請求項２３】 請求項２２の器具において、前記案内ハウジングが前記切削スロットの周りで延びている基端の案内面を有し、前記案内面が前記長手方向軸に対して第２の角度を形成し、前記第２の角度が前記切削スロットにおいて前記切削部片を前記長手方向軸に対して所定角度が付けて配向する、器具。
【請求項２４】 請求項２３の器具において、前記案内ハウジングに対して末端で係合し且つ前記案内ハウジングから基端方向へ延びるポストと、
前記ポストの周りで枢動可能に受け入れられる連結機構であって、前記連結機構が前記連結機構に沿って延びる案内管を有し、前記案内管が前記スロット内に配置された末端を有し、前記案内管が、前記連結機構を前記ポストの周りで回転させることにより、前記案内組立体を横切って前記切削スロットに沿って移動可能である、連結機構とを有する、器具。